(57)【要約】【課題】顔全体をシールド可能であって、保護帽内に収納することができる防災面付き保護帽を提供する。【解決手段】防災面を第１シールド部材４と第２シールド部材５により構成する。収納ガイド部材３を帽体２の内側前部に取付ける。第１シールド部材４を、収納ガイド部材３に形成した収納ガイド孔１３に係止部材１４によって係止する。第１シールド部材４と第２シールド部材５を、それぞれに形成したスライド孔１５、１６を介して係止部材（スライダー１７ａとホルダー１８ｂ、１８ｃ）によって連結する。第１シールド部材４と第２シールド部材５を最上位置までスライドさせたとき、両シールド部材４、５は収納ガイド部材３の前面側に重なって配設され帽体２内に収納される。一方、最下位置までスライドさせたとき、両シールド部材４、５によって顔の上部と下部が覆われ顔全体が保護される。【選択図】図１
2011017093.tif 000002
【特許請求の範囲】
【請求項１】
作業者の顔を保護する防災面を帽体内に収納するための収納ガイド部材が、帽体と該帽体内に取り付けられているハンモックとに固定された防災面付き保護帽において、
前記防災面は、顔に近い側に配設される第１シールド部材と、遠い側に配設される第２シールド部材とから構成され、
前記第１シールド部材は、前記収納ガイド部材に形成された収納ガイド孔にガイド係止部材を介して係止され、該収納ガイド孔に沿って顔の上下方向へスライド可能に設けられ、前記帽体内に収納された状態の位置から顔の上部を覆った状態の位置までの間を移動し、
前記第２シールド部材は、前記第１シールド部材に形成された第１スライド孔にスライド係止部材を介して係止され、前記第１スライド孔に沿って顔の上下方向へスライド可能であると共に、第２シールド部材に形成された第２スライド孔に同一の前記スライド係止部材を係止させ、前記スライド係止部材に対して、前記第２スライド孔に沿って顔の上下方向へスライド可能に設けられ、前記第１シールド部材に重なった状態の位置から顔の下部を覆った状態の位置までの間を移動し、
前記防災面は、両シールド部材が重なった状態で前記帽体と収納ガイド部材の間の空間内に収納され、また、両シールド部材によってそれぞれ顔の上部と下部を覆うことにより顔全体を覆うように構成されていることを特徴とする防災面付き保護帽。
【請求項２】
前記第１シールド部材と第２シールド部材とは同じ曲率を有した三次曲面からなり、
前記第１スライド孔と第２スライド孔は、前記第１シールド部材と第２シールド部材の左右両側部に顔の上下方向へ前記三次曲面シールドの曲率に合わせて形成され、
前記スライド係止部材は、前記第１シールド部材と第２シールド部材との間に配置されるスライダーと、前記第１シールド部材の内側から前記第１スライド孔を介して前記スライダーに嵌着される第１ホルダーと、前記第２シールド部材の外側から前記第２スライド孔を介して前記スライダーに嵌着される第２ホルダーとから構成され、
前記第１シールド部材の表面と第２シールド部材の裏面間には前記スライダーの厚さ分の隙間が形成されていることを特徴とする請求項１に記載の防災面付き保護帽。
【請求項３】
前記第１スライド孔と第２スライド孔は、前記第１シールド部材と第２シールド部材をそれぞれ最下位置までスライドさせて前記防災面により顔全体を覆ったとき、第１シールド部材の左右方向の下部と第２シールド部材の左右方向の上部とが重なって配置される位置まで形成されていることを特徴とする請求項１又は２に記載の防災面付き保護帽。
【請求項４】
前記第２スライド孔は、その上部において曲率中心の位置を変化させて形成されており、前記第２シールド部材を前記第２スライド孔に沿ってその最下位置までスライドさせたとき、第２シールド部材が第１シールド部材に近づくように変移し、前記重なって配置される両シールド部分間の隙間がなくなり両部材が密着するように構成されていることを特徴とする請求項３に記載の防災面付き保護帽。
【発明の詳細な説明】
【技術分野】
【０００１】
本発明は、顔面全体を覆うシールドを備えた防災面付き保護帽に関するものである。
【背景技術】
【０００２】
落下物や飛翔物、あるいは転落の危険の虞がある場所では安全上の理由から作業者はヘルメット（保護帽）を着用するのが通常である。そして、建設、建築、土木工事現場でのはつり時には飛散物が発生し、また、電気設備工事等の電極短絡時にはアーク（電気放電）あるいはその飛散物が発生するため、それらから顔を保護するために、着用されるヘルメットにはシールド（防災面）部材が必要とされていた。
従来から、ヘルメットに顔面シールドを開閉自在に取り付けて、必要に応じて顔面を保護するようにしたヘルメットは存在していた。しかし、そのヘルメットは、顔面シールドを支持軸を中心に回転させる機構であり、該顔面シールドは本体の表面に露出して設けられているものであるため、見栄えが悪いだけでなく、ヘルメット表面で物が引っ掛かる虞があり安全性に欠ける問題があった。
そこで、下記特許文献１には、ヘルメット殻体の前頭部を二重シェル構造にして、その収納空間内に顔面シールドを納めるようにしたヘルメットが開示されている。このヘルメットによれば、顔面シールドを円滑に開閉することができる他、高い構造強度と安全性を確保することができるとされていた。
【先行技術文献】
【特許文献】
【０００３】
【特許文献１】特開２００３−８２５１８号公報
【発明の開示】
【発明が解決しようとする課題】
【０００４】
しかしながら、上記特許文献１のヘルメットでは、顔面シールドを収納するために、殻体の前頭部の表面をトップカバーで覆設して二重シェル構造にするため、さらには、一部材からなる大きな顔面シールドを収納空間内にそのまま収納するためヘルメット自体の形状が大きくなってしまうという欠点があった。
【０００５】
そこで、本願発明はこのような事情に鑑みてなされたものであり、保護帽（ヘルメット）自体は従来の大きさを維持しながら、顔全体をシールド可能な防災面を保護帽内に収納することができる防災面付き保護帽の提供を目的とするものである。
【課題を解決するための手段】
【０００６】
上記課題を解決するために、請求項１に係る防災面付き保護帽の発明は、作業者の顔を保護する防災面を帽体内に収納するための収納ガイド部材が、帽体と該帽体内に取り付けられているハンモックとに固定された防災面付き保護帽において、
前記防災面は、顔に近い側に配設される第１シールド部材と、遠い側に配設される第２シールド部材とから構成され、
前記第１シールド部材は、前記収納ガイド部材に形成された収納ガイド孔にガイド係止部材を介して係止され、該収納ガイド孔に沿って顔の上下方向へスライド可能に設けられ、前記帽体内に収納された状態の位置から顔の上部を覆った状態の位置までの間を移動し、
前記第２シールド部材は、前記第１シールド部材に形成された第１スライド孔にスライド係止部材を介して係止され、前記第１スライド孔に沿って顔の上下方向へスライド可能であると共に、第２シールド部材に形成された第２スライド孔に同一の前記スライド係止部材を係止させ、前記スライド係止部材に対して、前記第２スライド孔に沿って顔の上下方向へスライド可能に設けられ、前記第１シールド部材に重なった状態の位置から顔の下部を覆った状態の位置までの間を移動し、
前記防災面は、両シールド部材が重なった状態で前記帽体と収納ガイド部材の間の空間内に収納され、また、両シールド部材によってそれぞれ顔の上部と下部を覆うことにより顔全体を覆うように構成されていることを特徴とするものである。
【０００７】
防災面は作業者の顔面全てを覆うことが可能なシールド面であり、複数のシールド部材から構成されている。また、防災面は帽体内に収納可能に構成されており、収納の際には複数のシールド部材が、互いに重なった状態で帽体内に収納される。
収納ガイド部材は、帽体（シェル）の内側前部から両側部に配設された、例えば、合成樹脂等からなる薄板状の部材である。帽体内には衝撃吸収用のハンモックが取り付けられており、前記収納ガイド部材は、帽体とハンモックとの間に配設される。衝撃吸収ライナーが配備される場合は、前記収納ガイドとハンモックの間に配設される。収納ガイド部材は、その両側部が帽体の内壁に固定され、前部がハンモックに固定されている（両側部の固定はハンモックと共に帽体の内壁に固定されるようにしてもよい）。これにより、帽体の内側前部には、帽体内壁と収納ガイド部材の面との間に隙間が形成され、この隙間が防災面（第１シールド部材と第２シールド部材）を収納するための収納空間となる。
【０００８】
収納ガイド部材には、防災面を帽体内に誘導するための収納ガイド孔が、帽体の開口縁部から内部（帽体天井部）方向に形成されている。収納ガイド孔は、長孔形状を有しており、複数本形成されている。該収納ガイド孔には第１シールド部材がガイド係止部材を介して係合されており、第１シールド部材はこの収納ガイド孔に沿ってスライドし、顔の上下方向へ移動可能である。第１シールド部材は、顔の左右方向および上下方向の曲面に対応する曲率を有した略帯状の合成樹脂等からなる。第１シールド部材は、上方向へスライドしたとき、収納ガイド部材と重なる位置まで移動し、収納ガイド部材の前面側に重なった状態で帽体内に収納される。一方、下方向へスライドしたときには、収納ガイド部材の下部と第１シールド部材の上部の僅かな部分が左右方向帯状の部分で重なった位置まで移動し、作業者の目および鼻を覆う状態、すなわち顔の上部分を覆う状態で配設される。
【０００９】
第１シールド部材と第２シールド部材の左右両側部には、それぞれ顔の上下方向に延びる長孔形状のスライド孔（第１スライド孔と第２スライド孔）が形成されている。これらのスライド孔には共通する１つのスライド係止部材が係合され、係止部材の背面側に第１シールド部材が配置され前面側に第２シールド部材が配置される。第２シールド部材は、係止部材と共に第１シールド部材の第１スライド孔に沿ってスライドし、顔の上下方向へ移動可能である。また、第２シールド部材は、スライド係止部材に対して第２シールド部材に形成された第２スライド孔の方向へスライドし、同じく顔の上下方向へ移動可能である。第２シールド部材は、顔の左右方向および上下方向の曲面に対応する曲率を有した略帯状の合成樹脂等からなる。第２シールド部材は、第１スライド孔に沿って最上部までスライドし、かつ、スライド係止部材に対して最上部までスライドしたとき、第１シールド部材と重なる位置まで移動し、第１シールド部材の前面側に配設される。一方、第１スライド孔に沿って最下部までスライドし、かつ、スライド係止部材に対して最下部までスライドしたときには、第１シールド部材の下部と第２シールド部材の上部の僅かな部分が左右方向帯状の部分で重なった位置まで移動し、作業者の口および喉を覆う状態、すなわち顔の下部分を覆う状態で配設される。
【００１０】
また、上記課題を解決するために、請求項２に係る発明は、請求項１の防災面付き保護帽において、前記第１シールド部材と第２シールド部材とは同じ曲率を有した三次曲面からなり、
前記第１スライド孔と第２スライド孔は、前記第１シールド部材と第２シールド部材の左右両側部に顔の上下方向へ前記三次曲面シールドの曲率に合わせて形成され、
前記スライド係止部材は、前記第１シールド部材と第２シールド部材との間に配置されるスライダーと、前記第１シールド部材の内側から前記第１スライド孔を介して前記スライダーに嵌着される第１ホルダーと、前記第２シールド部材の外側から前記第２スライド孔を介して前記スライダーに嵌着される第２ホルダーとから構成され、
前記第１シールド部材の表面と第２シールド部材の裏面間には前記スライダーの厚さ分の隙間が形成されていることを特徴とするものである。
【００１１】
防災面を構成する２つのシールド部材は、それぞれが顔の曲面（左右方向曲面および上下方向曲面）に対応した曲率を有する三次曲面の部材からなる。各シールド部材の左右両側部に形成されているスライド孔は、同一の曲率中心を有した孔であり、かつ、シールド部材の曲率と同じ曲率を有するように形成されている。そして、スライド係止部材のスライダーを挟んでスライダーの背面側に第１シールド部材、前面側に第２シールド部材が配置される。したがって、各シールド部材をこのスライド孔に沿ってスライドさせ両シールド部材を前後に重ねて配置させたときも、あるいはシールド部材のスライド時においても、第１シールド部材と第２シールド部材と間にはスライド係止部材を構成するスライダーが配設されているため、このスライダーの厚さ分だけ両シールド部材間には一様の隙間が生じ、各シールド部材の曲面同士が接触して擦れ合うことがなく傷がつき難い。
【００１２】
また、上記課題を解決するために、請求項３に係る発明は、請求項１又は２の防災面付き保護帽において、前記第１スライド孔と第２スライド孔は、前記第１シールド部材と第２シールド部材をそれぞれ最下位置までスライドさせて前記防災面により顔全体を覆ったとき、第１シールド部材の左右方向の下部と第２シールド部材の左右方向の上部とが重なって配置される位置まで形成されていることを特徴とするものである。
【００１３】
第１シールド部材は第１スライド孔に沿って最下位置までスライドさせたとき、作業者の目および鼻を覆う状態、すなわち顔の上部分を覆う状態で配設され、また、第２シールド部材は第２スライド孔に沿って最下位置までスライドさせたとき、作業者の口および喉を覆う状態、すなわち顔の下部分を覆う状態で配設される。したがって、第１シールド部材の下部と第２シールド部材の上部との僅かな左右方向帯状の重なり部分は、作業者の鼻の下部から口の上部の近傍に配設されることとなるため、作業者の視界に帯状部分が入ることはなく、作業性を低下させることもない。
【００１４】
また、上記課題を解決するために、請求項４に係る発明は、請求項３の防災面付き保護帽において、前記第２スライド孔は、その上部において曲率中心の位置を変化させて形成されており、前記第２シールド部材を前記第２スライド孔に沿ってその最下位置までスライドさせたとき、第２シールド部材が第１シールド部材に近づくように変移し、前記重なって配置される両シールド部分間の隙間がなくなり両部材が密着するように構成されていることを特徴とするものである。
【００１５】
第１シールド部材の第１スライド孔と第２シールド部材の第２スライド孔とは同一の曲率を有しているが、第２シールド部材の第２スライド孔はその曲率を同一としながらも長孔形状のうち下部と上部とで形成位置を相違させ段差を有して設けられている。すなわち、下部の孔と上部の孔とで曲率の中心位置を異ならせ、上部の孔の位置をシールド部材の側端部から僅かな分（両シールド部材間に配設されるスライダーの厚さ分）だけ内側にずらした位置に形成している。このように第２シールド部材のスライド孔の軌跡のみを変移させることにより、第２シールド部材を下方にスライドさせたとき、すなわち、スライド係止部材が第２シールド部材のスライド孔の上部に係止したとき、第２シールド部材はスライド孔の変移分だけ第１シールド部材方向へ近づき、両シールド部材は、左右方向帯状の重なる部分において接触し、隙間のない一面の防災面として顔面の全てが覆われる。
【発明の効果】
【００１６】
本発明の防災面付き保護帽によれば、顔全体をシールド可能な防災面を、分割した複数のシールド部材から構成し、各シールド部材をスライド可能に設け、これらを重ね合わせた状態で帽体内に収納可能とし、また、各シールド部材を引き伸ばして顔全体をシールド可能としたので、保護帽自体の大きさを従来通りに維持しつつ作業者の顔全体を確実に保護することができる。
【図面の簡単な説明】
【００１７】
【図１】本発明に係る防災面付き保護帽の分解斜視図である。
【図２】図１の収納ガイド部材と第１シールド部材と第２シールド部材を組み合わせた図であり、（ａ）は第１シールド部材を最下位置までスライドさせ、第２シールド部材を最上位置までスライドさせた状態を表わし、（ｂ）は第１シールド部材および第２シールド部材を共に最下位置までスライドさせた状態を表わす。
【図３】（ａ）は防災面（第１シールド部材および第２シールド部材）を帽体内に収納した状態を表わす図であり、（ｂ）は第１シールド部材と第２シールド部材を重ね合わせたまま第１シールド部材を最下位置までスライドさせ帽体の外部に配設させた状態を表わす図であり、（ｃ）は第１シールド部材と第２シールド部材を共に最下位置までスライドさせ帽体の外部に配設させた状態を表わす図である。
【図４】本発明に係る防災面付き保護帽を装着した作業者が防災面を帽体内に収納した状態を表わす図であり、（ａ）はその正面図で、（ｂ）はその側面図である。
【図５】作業者の顔が防災面によって覆われた状態を表わす図であり、（ａ）はその正面図で、（ｂ）はその側面図である。
【図６】第１シールド部材と第２シールド部材に係合するスライド係止部材の一形態を示す図２（ａ）のＥ−Ｅ線における断面図である。
【図７】図６と同じスライド係止部材の図２（ａ）のＦ−Ｆ線における断面図である。
【発明を実施するための形態】
【００１８】
以下、本発明に係る防災面付き保護帽の実施形態を添付図面に基づいて説明する。
図１に示すように、防災面付き保護帽１は、帽体（シェル）２、収納ガイド部材（シールガイド）３、第１シールド部材（アイシールド）４、第２シールド部材（フェイスガード）５、ライナー６、および図示は省略されているが帽体２に着装されるハンモック、ヘッドバンド、アゴひも等の部品から構成されている。
【００１９】
帽体２は、頭部を覆う半球状の部材であり、硬い殻体（例えば、ＦＲＰ樹脂、ＡＢＳ樹脂、ポリカーボネート樹脂等）から構成されている。収納ガイド部材３は、第１シール部材４および第２シール部材５を帽体２内へガイド収納するため、あるいは帽体２内から帽対２外（顔の前面）へとガイドするための部材であり、合成樹脂を射出成形加工又は、合成樹脂板の打ち抜き加工したものである。収納ガイド部材３は帽体２内に取付固定される。第１シールド部材４および第２シールド部材５は、防災面を構成する部材であり、スライド可能に設けられており、帽体２外へスライド展開されたとき顔の上部と下部をそれぞれ覆い得る。両シールド部材４、５は合成樹脂を射出成形加工または板曲げ加工により成形したものであり、透明または半透明（スモーク、着色品）状からなる。この形態では、防災面が第１シールド部材４および第２シールド部材５の２つのシールド部材から構成されているが、この形態に限定されず、分割された複数の部材から構成されるものであれば３つ以上のシールド部材から構成されるものであってもよい。
【００２０】
保護帽に通常使用されるハンモックおよびヘッドバンド（図示せず）は、帽体を頭部に保持し、帽体と共に頭部への衝撃を緩和する部材であり、本発明でも使用される。ライナー６は、頭部に加わる衝撃を吸収するための部材であり、例えば、発泡スチロールからなり、帽体２とハンモックの間に配設される。アゴひもは、帽体２が頭部から外れるのを防ぐための部材である。
【００２１】
収納ガイド部材３は、帽体２内の前部から両側部に配設され、その下部周方向には取付孔１１、１２が設けられている。この取付孔のうち両側部の取付孔１１は帽体２の内壁に取付固定され、中央部の取付孔１２はハンモックに取付固定される。これにより、帽体２内の前部には帽体２の内壁と収納ガイド部材３の外面との間に空間が形成され、この空間が第１シールド部材４および第２シールド部材５の収納空間となる。
【００２２】
また、収納ガイド部材３には複数本の長孔からなる収納ガイド孔１３が、保護帽１を装着した作業者の顔の上下方向に沿って、すなわち、帽体２の開口縁部から内部（帽体天井部）へ向かうように形成されている。収納ガイド孔１３は防災面（第１シールド部材４および第２シールド部材５）を帽体２内に誘導するため、あるいは帽体２内に収納されている防災面を帽体外部へ誘導するためのガイド孔であり、該収納ガイド孔１３には、ガイド係止部材１４ａ、１４ｂ、１４ｃを介して第１シールド部材４が係合される。第１シールド部材４は、この収納ガイド孔１３に沿ってスライドし、顔の上下方向へ移動可能である。
【００２３】
第１シールド部材４は、概略マスク形状を有し、左右両側部の上下方向の幅よりも中央付近での上下方向の幅の方がやや広く形成されており、かつ、顔の左右方向および上下方向の曲面に対応した曲率を有する三次曲面から構成されている。第１シールド部材４の両側部に顔の上下方向に延びる長孔形状のスライド孔（第１スライド孔）１５が形成されている。スライド孔１５は第１シールド部材４の曲面の曲率と同じ曲率を有して形成されている。詳しくは後述するが、スライド孔１５の曲率を第１シールド部材４の曲率と同様に形成することにより、第１シールド部材４と第２シールド部材５とはスライド時に互いに擦れ合うことがなく傷の発生を防止できる。
【００２４】
第２シールド部材５は、第１シールド部材と同様に概略マスク形状を有し、左右両側部の上下方向の幅よりも中央付近での上下方向の幅の方がやや広く形成されている。そして、顔の左右方向および上下方向の曲面に対応した曲率を有する三次曲面から構成されており、この曲率は第１シールド部材４の曲率と同じ値に形成されている。また、第２シールド部材５の両側部には、顔の上下方向に延びる長孔形状のスライド孔（第２スライド孔）１６が形成されている。スライド孔１６は第２シールド部材５の曲面の曲率と同じ曲率を有して形成されているが、その下部領域の孔と上部領域の孔とで曲率中心の位置が異なるように形成されている。つまり、スライド孔１６は途中から孔の軌道が変移して形成されている。詳しくは図２以下に基づいて後述する。
【００２５】
第１シールド部材４と第２シールド部材５とは、スライド孔１５と１６に係合する共通のスライド係止部材１７（１７ａ、１７ｂ、１７ｃ）によって連結されている。第１シールド部材４と第２シールド部材５の間にスライダー１７ａが配設され、第１シールド部材４の内側（背面側）から第１スライド孔１５を介して内側ホルダー１７ｂがスライダー１７ａに係着され、第２シールド部材５の外側（前面側）から第２スライド孔１６を介して外側ホルダー１７ｃがスライダー１７ａに係着されている。この構成により、第１シールド部材４はスライダー１７ａに対して第１スライド孔１５に沿って該孔１５の長さ分だけスライドし、顔の上下方向に移動可能である。また、第２シールド部材５はスライダー１７ａに対して第２スライド孔１６に沿って該孔１６の長さ分だけスライドし、顔の上下方向に移動可能である。スライド係止部材１７に関しては、図６、７に基づいてさらに後述する。
【００２６】
図２は、収納ガイド部材３と第１シールド部材４と第２シールド部材５とを連結させ、各シールド部材を収納ガイド孔１３と第１、第２スライド孔１５、１６に沿ってスライドさせた状態を表わしている。図（ａ）は、第１シールド部材４を収納ガイド部材３の収納ガイド孔１３に沿ってその孔１３の最下位置までスライドさせ、かつ、第２シールド部材５を第１シールド部材４の第１スライド孔１５に沿ってスライド係止部材１７と共にその孔１５の最上位置までスライドさせ、さらに、第２シールド部材５をスライド係止部材１７に対して上方へスライドさせて第２シールド部材５の第２スライド孔１６の最下位置にスライド係止１７を係止させたものである。収納ガイド部材３と第１シールド部材４とは、収納ガイド部材３の下部と第１シールド部材４の上部の斜線で示される左右方向帯状の領域２１で重なって配設されている。第１シールド部材４と第２シールド部材５とは、第２シールド部材５が第１シールド部材４の前面側に重なって第１シールド部材４の領域内に第２シールド部材５が含まれるように配設されている。
【００２７】
図（ｂ）は、第１シールド部材４を収納ガイド部材３の収納ガイド孔１３に沿ってその孔１３の最下位置までスライドさせ、かつ、第２シールド部材５を第１シールド部材４の第１スライド孔１５に沿ってスライド係止部材１７と共にその孔１５の最下位置までスライドさせ、さらに、第２シールド部材５をスライド係止部材１７に対して下方へスライドさせて第２シールド部材５の第２スライド孔１６の最上位置にスライド係止１７を係止させたものである。このとき、第１シールド部材４と第２シールド部材５とは、第１シールド部材４の下部と第２シールド部材５の上部の斜線で示される左右方向帯状の領域２２で重なって配設され、一様な曲面で顔全体を覆うシールド面を形成している。
【００２８】
上記したように、第１シールド部材４の左右方向および上下方向の曲面の曲率は、第２シールド部材５の左右方向および上下方向の曲面の曲率とそれぞれ同じ曲率に形成されている。また、第１シールド部材４と第２シールド部材５の間にスライダー１７ａが配設されている。さらに、スライド孔１５と１６は、中心角の等しい位置に、第１シールド部材４、第２シールド部材５の曲面の曲率と同じ曲率を有して形成されている。したがって、各シールド部材４、５をスライド孔１５、１６に沿ってスライドさせ両シールド部材４と５を前後に重ねて配置させたときも、あるいは第２シールド部材５のスライド時においても、第１シールド部材４と第２シールド部材５との間（図２（ａ）の矢印２３で示す位置）には、スライド係止部材を構成するスライダー１７ａの厚さ分の隙間が形成され、各シールド部材４と５の曲面同士が接触して擦れ合うことがなく傷がつき難い。
【００２９】
また、上記したように、第２シールド部材５のスライド孔１６は、その下部領域の孔と上部領域の孔とで曲率中心の位置が相違して形成され、その途中から孔１６の軌道が変移して形成されている（図１および図２（ａ）参照）。これを第１シールド部材４のスライド孔１５と対比して言うと、スライド孔１６の下部領域の孔の中心角とスライド孔１５の中心角とは等しく形成され、スライド孔１６の上部領域の孔の中心角はスライド孔１５の中心角よりも少し小さな中心角で形成されている。この構成により、第２シールド部材５がスライド孔１６の下部領域に沿ってスライドしているときは、上記のように第１シールド部材４と第２シールド部材５との間にスライダー１７ａの厚さ分の隙間が形成されているが、スライド孔１６の上部領域に達したとき、孔１６の軌道の変移により第２シールド部材５がその変移分だけ第１シールド部材４に近づく。そして、第２シールド部材５を最下位置までスライドさせたとき、図２（ｂ）の両者が重なる帯状の領域２２では、第１シールド部材４と第２シールド部材５間の隙間がなくなり、両者は密着した状態となる。これにより、第１シールド部材４から第２シールド部材５までの一様な曲面で顔全体を覆うことが可能となる。
【００３０】
本防災面付き保護帽１は、防災面使用時には防災面をスライド開放させて作業者の目を保護することができるだけでなく、顔全体を覆い保護することができ、防災面未使用時にはスライド収納して防災面を帽体内に収納することができる保護帽である。図３（ａ）は、防災面（第１シールド部材４および第２シールド部材５）を帽体２内に収納したときの状態を示している。第２シールド部材５を第１シールド部材４のスライド孔１５および第２シールド部材５のスライド孔１６に沿って最上位置までスライドさせ、第１シールド部材４を収納ガイド孔１３に沿って最上位置までスライドさせている。防災面は、収納ガイド部材３の上面側に第１シールド部材４が重なり、その上面側に第２シールド部材５が重なって帽体２の内壁と収納ガイド部材３との間に設けられた収納空間に収納されている。
【００３１】
図３（ｂ）は、第１シールド部材４を収納ガイド部材３の収納ガイド孔１３に沿って最下位置までスライドさせ、第２シールド部材５を第１シールド部材４のスライド孔１５および第２シールド部材５の２スライド孔１６に沿って最上位置までスライドさせたときの状態を示している。第１シールド部材４の上面側に第２シールド部材５が重なって配置され、両シールド部材４、５によって顔の上部分を覆い得る状態まで開放されている。図３（ａ）と（ｂ）とで示されたように、第１シールド部材４は、帽体２内の位置から顔の上部分を覆う位置までスライドし顔の上下方向に移動可能である。
【００３２】
図３（ｃ）は、第１シールド部材４を収納ガイド部材３の収納ガイド孔１３に沿って最下位置までスライドさせ、かつ、第２シールド部材５を第１シールド部材４のスライド孔１５および第２シールド部材５の２スライド孔１６に沿って最下位置までスライドさせたときの状態を示している。第１シールド部材４によって顔の上部分を覆い、第２シールド部材５によって顔の下部分を覆い得る状態まで開放されている。図３（ｂ）と（ｃ）とで示されたように、第２シールド部材５は、スライド孔１５、１６に沿って顔の上部分を覆う位置から顔の下部分を覆う位置までスライドし顔の上下方向に移動可能である。
【００３３】
図４（ａ）、（ｂ）に示すように、スライド収納された防災面（第１シールド部材４と第２シールド部材５）は、帽体２の内側前部に重なって配設される。同じ曲率の曲面を有する複数部分に分割されたシールド部材（この形態では２つのシールド部材）を重ねて収納することができるので収納スペースを小さくすることができ、帽体２の形状を拡大させることなく従来の大きさの帽体を使用できる。
【００３４】
図５（ａ）、（ｂ）に示すように、スライド開放された防災面のうち第１シールド部材４は、その上部が収納ガイド部材３の収納ガイド孔１３に係止された状態で、顔の目および鼻の上部を覆うように配設され、第２シールド部材５は、その上両側部がスライド孔１５、１６を介してスライド係止部材１７によって第１シールド部材４と係着された状態で、顔の口、あごおよび喉の上部を覆うように配設されている。一様な曲率を有した第１シールド部材４および第２シールド部材５によって顔全体を覆うことができ確実に安全を確保できる。また、第１シールド部材４と第２シールド部材５との重なり領域２２は、鼻から口の間の上方に配設されるので、この領域２２によって作業者の視界がさえぎられることはなく、この点でも安全を確保できる。
【００３５】
図６、７に示すスライド係止部材の形態では、第１シールド部材４のスライド孔１５と第２シールド部材５のスライド孔１６に、スライド係止部材を構成するスライダー１７ａが係合し、該スライダー１７ａの凹部３１、３２に、ホルダー１７ｂ、１７ｃが嵌着される（矢印３３、３４）。このときシールド部材４、５のスライド孔縁部がスライダー１７ａとホルダー１７ｂ、１７ｃ間に挟まれる。第１シールド部材４および第２シールド部材５は、スライダー１７ａに対して矢印３５および３６の方向へスライドし、顔の上下方向へ移動することになる。スライダー１７ａとホルダー１７ｂ、１７ｃは、図２、図６等に示すように縦長形状のもので、嵌め込みタイプのものであるため、スライドさせたとき係合するシールド部材４、５がグラツキ難く安定性に優れている。なお、スライダー１７ａとホルダー１７ｂ、１７ｃは、嵌め殺しタイプのものでも、取り外し可能のものであってもよい。
【符号の説明】
【００３６】
１    防災面付き保護帽
２    帽体
３    収納ガイド部材
４    第１シールド部材
５    第２シールド部材
６    ライナー
１３  収納ガイド孔
１５  第１スライド孔
１６  第２スライド孔
１７ａ  スライダー
１７ｂ、１７ｃ  ホルダー
【図１】
2011017093.tif 000003
【図２】
2011017093.tif 000004
【図３】
2011017093.tif 000005
【図４】
2011017093.tif 000006
【図５】
2011017093.tif 000007
【図６】
2011017093.tif 000008
【図７】
2011017093.tif 000009